(57)【要約】【課題】ハンドルカバーの開閉時にハンドルカバーに無理な力が加わるのを防止したスイッチを提供する。【解決手段】器体１０の前面に操作スイッチの操作部と機能設定部とを配置するとともに、器体１０の前面に設けた軸部２７により回動自在に枢支されて裏面で操作部を押操作自在とし、機能設定部に対向する部位に透孔が形成された操作ハンドル３０と、操作ハンドル３０の前面に透孔（機能設定部）を開閉自在に覆うように回動自在に枢支されたハンドルカバー４０とを備え、ハンドルカバー４０を開いた状態でハンドルカバー４０を開く方向に過大な力が加わった際に、ハンドルカバー４０が化粧プレート６０の開口窓６１の周部と当接した部位を支点として操作ハンドル３０を器体１０から離れる方向に押圧する力よりも、器体１０が操作ハンドル３０を保持する保持力を小さく設定してある。【選択図】図１
2006019096.tif 000002
【特許請求の範囲】
【請求項１】
埋込型配線器具の前面を露出させる窓孔を有し当該窓孔の両側縁に器具取付手段が形成され、前記窓孔に連通する開口窓を有した化粧プレートが前面に取着される取付枠に、前記窓孔から前面を露出させた状態で取着可能な寸法に形成されるとともに、前記器具取付手段に取り付けるための取付手段を具備した器体を備え、当該器体の前面に、操作スイッチの操作部と、スイッチ動作に関わる機能設定を行うための機能設定部とをそれぞれ配置するとともに、器体の内部に、負荷が接続される開閉素子と、前記操作スイッチからのスイッチ入力に応じて前記開閉素子のオン／オフする制御回路部とをそれぞれ収納し、前記器体の前面の略全体を覆うような寸法に形成され、前記器体に設けた枢支部により回動自在に枢支されて裏面で前記操作部を押操作自在とし、前記機能設定部に対向する部位に透孔が形成された操作ハンドルと、当該操作ハンドルの前面に前記透孔を露出させる位置と前記透孔を覆う位置との間で回動自在に枢支されたハンドルカバーとを設け、前記透孔を露出させる位置まで前記ハンドルカバーを開いた状態で前記ハンドルカバーを開く方向に過大な力が加わった際に、前記ハンドルカバーが前記開口窓の周部と当接した部位を支点として前記操作ハンドルを前記器体から離れる方向に押圧する力よりも、前記器体が前記操作ハンドルを保持する保持力を小さく設定したことを特徴とするスイッチ。
【請求項２】
前記機能設定部は、タイマ動作に関する動作設定を行うためのタイマ設定手段を有し、前記制御回路部は、前記操作スイッチからのスイッチ入力および前記タイマ設定手段の設定内容に応じて前記開閉素子のオン／オフを制御することを特徴とする請求項１記載のスイッチ。
【請求項３】
前記操作ハンドルの裏面又は前記器体の前面の少なくとも何れか一方に、前記操作ハンドルを前記器体に取り付ける取付方法を表示する表示手段を設けたことを特徴とする請求項１又は２記載のスイッチ。
【請求項４】
前記ハンドルカバーに永久磁石を保持させるとともに、前記操作ハンドルに前記永久磁石の磁力で吸着される磁性体を設け、当該磁性体を前記操作ハンドルの前面に取着される表示ラベルで覆ったことを特徴とする請求項１又は２記載のスイッチ。
【請求項５】
前記表示ラベルは導電材料により形成され、前記操作ハンドルの前面の略全体を覆うようにして前記操作ハンドルに取着されることを特徴とする請求項４記載のスイッチ。
【請求項６】
前記ハンドルカバーに永久磁石を保持させるとともに、磁性材料により形成されて前記永久磁石の磁力で吸着される表示ラベルを前記操作ハンドルの前面に取着したことを特徴とする請求項１又は２記載のスイッチ。
【請求項７】
前記ハンドルカバーは樹脂成型品からなり、前記ハンドルカバーの裏面に前記永久磁石を配置して、前記ハンドルカバーの裏面に設けたリブを潰して変形させることで前記永久磁石と係止させたことを特徴とする請求項４〜６の何れか１つに記載のスイッチ。
【請求項８】
前記タイマ設定手段としてタイマ動作に関わる時間設定を行うための回転摘みを備え、前記回転摘みと対向する前記操作ハンドルの部位およびその周辺部に前記操作ハンドルを前後方向に貫通する貫通孔を形成したことを特徴とする請求項２記載のスイッチ。
【請求項９】
前記操作ハンドルは前面視の形状が略矩形状であって、前記枢支部で枢支された側の側縁を前記取付枠の前面に面接触させるとともに、前記枢支部で枢支された側と反対側の側縁を後側に押圧した場合に前記取付枠の前面と面接触させることを特徴とする請求項１又は２記載のスイッチ。
【請求項１０】
前記開閉素子および前記制御回路の構成部品の発熱が外部に逃げるのを防止する放熱防止手段を前記器体に設けたことを特徴とする請求項１又は２記載のスイッチ。
【請求項１１】
前記操作ハンドルは、前記透孔が形成された部位を他の部位よりも薄肉に形成してあり、前記ハンドルカバーは、前記操作ハンドルの薄肉部に嵌る主部と、この主部と一体に設けられ前記操作ハンドルに設けた軸受部に回動自在に枢支される腕部とを有し、前記主部の後面の回動中心側の角と、この角が対向する薄肉部の隅とにそれぞれ面取り処理を施したことを特徴とする請求項１又は２記載のスイッチ。
【発明の詳細な説明】
【技術分野】
【０００１】
本発明は、スイッチに関するものである。
【背景技術】
【０００２】
この種のスイッチとしては、埋込型配線器具用の取付枠を用いて施工面に配設され、タイマ設定部により設定されたタイマ時間の限時動作に応じて負荷への給電路を開閉するタイムスイッチが従来より提供されている（例えば特許文献１参照）。
【０００３】
また従来より、器体の前面に、操作スイッチの操作部と、タイマ動作に関する動作設定を行うためのタイマ設定部とをそれぞれ配置するとともに、器体の内部に、負荷が接続される開閉素子と、操作スイッチからのスイッチ入力およびタイマ設定部の設定内容に応じて開閉素子のオン／オフを制御する制御回路部とをそれぞれ収納し、器体の前面の略全体を覆うような寸法に形成され、器体の前面に設けた枢支部により回動自在に枢支されて裏面で操作部を押操作自在とし、タイマ設定部に対向する部位に透孔が形成された操作ハンドルと、操作ハンドルの前面に透孔を露出させる位置と透孔を覆う位置との間で回動自在に枢支されたハンドルカバーとを設け、タイマ設定部をハンドルカバーで隠して常時は見えなくしたタイムスイッチも提供されている。
【特許文献１】特開２００３−１００１８７号公報
【発明の開示】
【発明が解決しようとする課題】
【０００４】
上述したタイムスイッチでは、タイマ設定部をハンドルカバーで隠しているので、この状態では外観をピアノスイッチと同様にして、操作ハンドルの押操作に応じて操作スイッチの押操作部を押操作することができ、またハンドルカバーを開けることによってタイマ設定部を露出させて、タイマ動作に関わる設定作業を行えるようになっているが、操作ハンドルの透孔を露出させる位置までハンドルカバーを開いた際に、器体を取り付けた取付枠に取着される化粧プレートの開口窓の周部にハンドルカバーが当接することによって、この当接部位を支点として操作ハンドルを器体から離れる方向（前方）に押圧する力が発生する。ここで、上記当接部位を支点として操作ハンドルを前方に押圧する力よりも、器体が操作ハンドルを保持する保持力の方が大きければ、ハンドルカバーを操作ハンドルに枢支させる部位（支点部）に無理な力が加わってしまい、この部分が変形するなどして再使用ができなくなる可能性があった。
【０００５】
本発明は上記問題点に鑑みて為されたものであり、その目的とするところは、ハンドルカバーの開閉時にハンドルカバーに無理な力が加わるのを防止したスイッチを提供することにある。
【課題を解決するための手段】
【０００６】
上記目的を達成するために、請求項１の発明は、埋込型配線器具の前面を露出させる窓孔を有し当該窓孔の両側縁に器具取付手段が形成され、窓孔に連通する開口窓を有した化粧プレートが前面に取着される取付枠に、窓孔から前面を露出させた状態で取着可能な寸法に形成されるとともに、器具取付手段に取り付けるための取付手段を具備した器体を備え、当該器体の前面に、操作スイッチの操作部と、スイッチ動作に関わる機能設定を行うための機能設定部とをそれぞれ配置するとともに、器体の内部に、負荷が接続される開閉素子と、操作スイッチからのスイッチ入力に応じて開閉素子のオン／オフする制御回路部とをそれぞれ収納し、器体の前面の略全体を覆うような寸法に形成され、器体に設けた枢支部により回動自在に枢支されて裏面で操作部を押操作自在とし、機能設定部に対向する部位に透孔が形成された操作ハンドルと、当該操作ハンドルの前面に透孔を露出させる位置と透孔を覆う位置との間で回動自在に枢支されたハンドルカバーとを設け、透孔を露出させる位置までハンドルカバーを開いた状態でハンドルカバーを開く方向に過大な力が加わった際に、ハンドルカバーが開口窓の周部と当接した部位を支点として操作ハンドルを器体から離れる方向に押圧する力よりも、器体が操作ハンドルを保持する保持力を小さく設定したことを特徴とする。ここに、開口窓の周部とは前方から見たときに開口窓の外側にある任意の部材のことを意味している。
【０００７】
請求項２の発明は、請求項１の発明において、機能設定部は、タイマ動作に関する動作設定を行うためのタイマ設定手段を有し、制御回路部は、操作スイッチからのスイッチ入力およびタイマ設定手段の設定内容に応じて開閉素子のオン／オフを制御することを特徴とする。
【０００８】
請求項３の発明は、請求項１又は２の発明において、操作ハンドルの裏面又は器体の前面の少なくとも何れか一方に、操作ハンドルを器体に取り付ける取付方法を表示する表示手段を設けたことを特徴とする。
【０００９】
請求項４の発明は、請求項１又は２の発明において、ハンドルカバーに永久磁石を保持させるとともに、操作ハンドルに永久磁石の磁力で吸着される磁性体を設け、当該磁性体を操作ハンドルの前面に取着される表示ラベルで覆ったことを特徴とする。
【００１０】
請求項５の発明は、請求項４の発明において、表示ラベルは導電材料により形成され、操作ハンドルの前面の略全体を覆うようにして操作ハンドルに取着されることを特徴とする。
【００１１】
請求項６の発明は、請求項１又は２の発明において、ハンドルカバーに永久磁石を保持させるとともに、磁性材料により形成されて永久磁石の磁力で吸着される表示ラベルを操作ハンドルの前面に取着したことを特徴とする。
【００１２】
請求項７の発明は、請求項４〜６の何れか１つの発明において、ハンドルカバーは樹脂成型品からなり、ハンドルカバーの裏面に永久磁石を配置して、ハンドルカバーの裏面に設けたリブを潰して変形させることで永久磁石と係止させたことを特徴とする。
【００１３】
請求項８の発明は、請求項２の発明において、タイマ設定手段としてタイマ動作に関わる時間設定を行うための回転摘みを備え、回転摘みと対向する操作ハンドルの部位およびその周辺部に操作ハンドルを前後方向に貫通する貫通孔を形成したことを特徴とする。
【００１４】
請求項９の発明は、請求項１又は２の発明において、操作ハンドルは前面視の形状が略矩形状であって、枢支部で枢支された側の側縁を取付枠の前面に面接触させるとともに、枢支部で枢支された側と反対側の側縁を後側に押圧した場合に取付枠の前面と面接触させることを特徴とする。
【００１５】
請求項１０の発明は、請求項１又は２の発明において、開閉素子および制御回路の構成部品の発熱が外部に逃げるのを防止する放熱防止手段を器体に設けたことを特徴とする。
【００１６】
請求項１１の発明は、請求項１又は２の発明において、操作ハンドルは、透孔が形成された部位を他の部位よりも薄肉に形成してあり、ハンドルカバーは、操作ハンドルの薄肉部に嵌る主部と、この主部と一体に設けられ操作ハンドルに設けた軸受部に回動自在に枢支される腕部とを有し、主部の後面の回動中心側の角と、この角が対向する薄肉部の隅とにそれぞれ面取り処理を施したことを特徴とする。
【発明の効果】
【００１７】
請求項１の発明によれば、ハンドルカバーを開いた状態でハンドルカバーを開く方向に過大な力が加わった際に、ハンドルカバーが開口窓の周部と当接した部位を支点として操作ハンドルを器体から離れる方向に押圧する力が発生するが、この押圧力よりも器体が操作ハンドルを保持する保持力を小さく設定しているので、操作ハンドルが器体から外れることによって、ハンドルカバーを操作ハンドルに枢支させる部位に過大な力が加わって破損するのを防止でき、操作ハンドルを器体に再度取り付けて使用することができるという効果がある。
【００１８】
請求項２の発明によれば、制御回路部によりタイマ設定手段の設定内容に応じてタイマ動作を行わせることができるという効果がある。
【００１９】
請求項３の発明によれば、操作ハンドルの裏面又は器体の前面の少なくとも何れか一方に表示手段を設けてあるので、取付方法を知らない一般のユーザでも表示手段を見ながら操作ハンドルを器体に取り付けることができる。
【００２０】
請求項４の発明によれば、ハンドルカバーに保持させた永久磁石の磁力で、操作ハンドルに設けた磁性体を吸着させることで、ハンドルカバーが閉じた状態を保持することができ、且つ、操作ハンドルの前面に取着される表示ラベルで磁性体を覆っているので、ハンドルカバーを開いた状態でも磁性体が見えることはなく、外観の見栄えを良くできる。
【００２１】
請求項５の発明によれば、導電材料からなる表示ラベルを操作ハンドルの前面の略全体を覆うようにして取り付けているので、電磁シールドの効果が向上するとともに、操作ハンドルの機械的強度が向上するという効果がある。
【００２２】
請求項６の発明によれば、ハンドルカバーに保持させた永久磁石の磁力で、操作ハンドルに取着した表示ラベルを吸着させることで、ハンドルカバーが閉じた状態を保持することができ、且つ、操作ハンドルの前面に取着される表示ラベルを磁性材料により形成しているので、表示レバルとは別に永久磁石の磁力で吸着される磁性体を操作ハンドルに取り付ける必要が無く、部品数を削減して組立作業の手間を少なくできるという効果がある。
【００２３】
請求項７の発明によれば、ハンドルカバーの裏面に設けたリブを潰して変形させることで、リブと永久磁石とが係止して、永久磁石がハンドルカバーに保持されるので、永久磁石を接着固定する場合に比べて組立の手間を少なくできるという効果がある。
【００２４】
請求項８の発明によれば、操作ハンドルには回転摘みと対向する部位およびその周辺部に、操作ハンドルを前後方向に貫通する貫通孔を形成しているので、この貫通孔に手の指を入れることができ、回転摘みを摘んで回転させる操作がやりやすくなるという効果がある。
【００２５】
請求項９の発明によれば、枢支部で枢支された側の操作ハンドルの側縁を取付枠の前面に面接触させているので、この側縁に沿う方向の一端側で操作ハンドルを押したとしても、操作ハンドルが傾くのを防止できる。さらに枢支部で枢支された側と反対側の側縁を後側に押圧すると、この側縁が取付枠の前面に面接触するので、操作ハンドルの押し込み量を規制して、操作スイッチが破損するのを防止できる。
【００２６】
請求項１０の発明によれば、放熱防止手段により開閉素子や制御回路の構成部品の発熱が外部に逃げるのを防止できるから、周囲温度が低い場合でも素子自体の発熱で開閉素子や構成部品の使用温度を上昇させて、その動作を安定させることができるという効果がある。
【００２７】
請求項１１の発明によれば、ハンドルカバーの主部後面の回動中心側の角と、この角に対向する薄肉部の隅とに、それぞれ面取り処理を施しているので、ハンドルカバーを開閉する際にハンドルカバーと操作ハンドルが互いに干渉するのを防止できるという効果がある。
【発明を実施するための最良の形態】
【００２８】
以下に本発明をタイムスイッチに適用した実施形態について図面を参照して説明する。
【００２９】
本実施形態のタイムスイッチＡでは、図１２に示すように端子Ｔａと端子Ｔｂとの間にトライアックのような開閉素子ＴＲＣ１を接続するとともに、端子Ｔａと端子Ｔｃとの間にもトライアックのような開閉素子ＴＲＣ２を接続し、これら開閉素子ＴＲＣ１，ＴＲＣ２のターンオン／ターンオフを制御回路部１により制御している。制御回路部１は操作スイッチＳＷ１からのスイッチ入力や後述のタイマ設定部２の設定内容に応じて開閉素子ＴＲＣ１，ＴＲＣ２のターンオン／ターンオフを制御する。また制御回路部１は、例えば２色発光の発光ダイオードＬＤ（発光表示部）の発光色やその点灯状態（点灯、点滅、消灯）を制御しており、この発光ダイオードＬＤの発光色や点灯状態で負荷の動作状態を表示するようになっている。
【００３０】
このタイムスイッチＡは、例えば風量を強弱２段階に切り替える機能を有して室内の空気を定常的に換気する常時換気設備のオン／オフおよび風量切替を行うものであり、常時換気設備としては、共通端子と強入力端子と弱入力端子とを有して、共通端子と強入力端子との間に電源が接続されると強風運転し、共通端子と弱入力端子との間に電源が接続されると弱風運転するような強弱タップ切替型の換気扇、又は、２つの電源接続端子とリレー入力端子とを有して、２つの電源接続端子間に電源が接続されると常時運転し、リレー入力端子に電源の一端が接続されるか否かで風量の強／弱が反転するような内蔵リレー切替型の換気扇の何れかが選択的に使用される。
【００３１】
図１２（ａ）は常時換気設備として強弱タップ切替型の換気扇ＲＬ１を用いる場合の配線図であり、換気扇ＲＬ１の共通端子と端子Ｔａとの間に交流電源ＡＣを接続するとともに、換気扇ＲＬ１の弱入力端子を端子Ｔｂに、強入力端子を端子Ｔｃにそれぞれ接続してある。強弱タップ切替型の場合には開閉素子ＴＲＣ１がターンオン、開閉素子ＴＲＣ２がターンオフすると、換気扇ＲＬ１の共通端子と弱入力端子との間に交流電源ＡＣが接続されて、換気扇ＲＬ１は風量が弱の状態で動作（弱風運転）し、開閉素子ＴＲＣ１がターンオフ、開閉素子ＴＲＣ２がターンオンすると、換気扇ＲＬ１の共通端子と強入力端子との間に交流電源ＡＣが接続されて、換気扇ＲＬ１は風量が強の状態で動作（強風運転）する。
【００３２】
また図１２（ｂ）は常時換気設備として内蔵リレー切替型（リレーを励磁すると風量が強から弱に切り替わるタイプ）の換気扇ＲＬ２を用いる場合の配線図であり、換気扇ＲＬ２の一方の電源接続端子（ファンモータＦＭの一方の接続端子）と端子Ｔａとの間に交流電源ＡＣを接続するとともに、換気扇ＲＬ２の他方の電源接続端子（リレー接点ｒｙの共通端子）を端子Ｔｂに、リレー入力端子を端子Ｔｃにそれぞれ接続してある。ここで開閉素子ＴＲＣ２がターンオフし、換気扇ＲＬ２の内蔵リレーＲＹが励磁されていない場合には、リレー接点ｒｙが強入力端子側に切り替えられているので、開閉素子ＴＲＣ１がターンオンすると、強入力端子に交流電源ＡＣが接続されて、換気扇ＲＬ２は強風運転する。一方開閉素子ＴＲＣ１がターンオンしている状態で、開閉素子ＴＲＣ２がターンオンすると、リレーＲＹが励磁されてリレー接点ｒｙが弱入力端子側に切り替えられるので、弱入力端子に交流電源ＡＣが接続されて換気扇ＲＬ２は弱風運転する。
【００３３】
このように、換気扇を弱風運転又は強風運転させる場合にターンオンさせる開閉素子ＴＲＣ１，ＴＲＣ２の組み合わせは換気扇の種類（強弱タップ切替型、内蔵リレー切替型）に応じて異なるので、このタイムスイッチＡには換気扇の種類を選択するための負荷選択スイッチ３が設けられている。而して制御回路部１では、負荷選択スイッチ３の選択操作に応じて換気扇を弱風運転又は強風運転する際の開閉素子ＴＲＣ１，ＴＲＣ２のオン／オフの組み合わせを変更しており、種類の異なる換気扇が接続された場合でも所望の動作を行わせることができ、１つのスイッチで複数種類の換気扇に対応できる。
【００３４】
次に、このタイムスイッチＡの構造を図１〜図１１に基づいて説明する。尚、以下の説明では特に断りがないかぎり、図３に示す向きにおいて上下左右の方向を規定し、図３の正面を前面として説明を行う。
【００３５】
タイムスイッチＡの器体１０は直方体状であって、前面開口した合成樹脂製のボディ１１と、ボディ１１の前面側に結合される後面開口した合成樹脂製のカバー１２とにより形成されている。すなわち、カバー１２の上下両面の後端縁からは後方に向かって組立片１２ａが２個ずつ延設され、各組立片１２ａに設けた組立孔１２ｂがボディ１１の上下両面に形成してある組立突起１１ａに係合することによりボディ１１とカバー１２とが結合されている。
【００３６】
器体１０の左右方向の寸法は、埋込配線器具用の取付枠５０の窓孔の左右方向（短手方向）の寸法に略等しく、器体１０の前部を形成するカバー１２の左右両側面には、取付枠５０の窓孔を囲む両側片５１に設けた器具取付孔５２（器具取付手段）に係合可能な取付爪１３（取付手段）が突設してあり、取付爪１３を取付枠５０の器具取付孔５２に係合させることで器体１０が取付枠５０に保持されるようにしてある。なおカバー１２の左右方向における一方の側壁（右側壁）には取付爪１３が一対設けられ、この取付爪１３が突設された部位の上下両側部に２本の切り込み溝１４がカバー１２の後端縁から形成されており、この２本の切り込み溝１４の間の部位は厚み方向（左右方向）に可撓性を有する撓み片１５を形成している。ここで、カバー１２の内部において撓み片１５の裏面側には空所が形成され、撓み片１５をカバー１２の内側に撓ませることによって、撓み片１５に設けられた一対の取付爪１３をカバー１２の側面から弾性的に後退させることが可能となっている。
【００３７】
而して、カバー１２の左側壁に設けた取付爪１３を、取付枠５０の左側の側片５１に設けた器具取付孔５２に挿入するとともに、右側壁に設けた取付爪１３をカバー１２の側面から後退させるようにして取付枠５０の窓孔に器体１０を挿入すれば、右側壁の取付爪１３が器具取付孔５２に挿入され、窓孔から前面（機能面）を露出させた状態で器体１０が取付枠５０に保持される。また撓み片１５をカバー１２の内側に押し込むようにすれば、撓み片１５に設けた取付爪１３が器具取付孔５２から抜け、取付枠５０から器体１０を取り外すことができる。なお撓み片１５の後端部外側面には撓み片１５の押し込みを容易にするために押突起１５ａが突設されている。
【００３８】
上述の取付枠５０は、単位寸法（１個モジュール寸法）の埋込型配線器具を３個まで取着可能な取付枠であって、タイムスイッチＡの器体１０は、単位寸法の埋込型配線器具を短幅方向に２個並べた大きさと略同じ大きさ（２個モジュール寸法）に形成されており、図４および図５に示すように１個モジュール寸法に形成された他の配線器具Ｂと並設することができる。なお取付枠５０は壁面などの施工面に取り付けられ、器体１０の後部は施工面に埋設される。また図１および図５に示すように、取付枠５０の前面側には、取付枠５０の窓孔よりも長寸かつ幅広の開口窓７１を備えるプレート枠７０が重ね合わせて取着され、さらにプレート枠７０の前面には、取付枠５０の窓孔よりも長寸かつ幅広で開口窓７１よりも若干小さめの開口窓６１を備える化粧プレート６０が重ね合わせて取着されており、プレート枠７０および化粧プレート６０の開口窓７１，６１からタイムスイッチＡや配線器具Ｂの機能面（前面）が露出するようになっている。なお化粧プレート６０は、裏面に突設された係止爪６２をプレート枠７０に設けた係止孔７２に係止させることによってプレート枠７０に着脱自在に取着されている。
【００３９】
またボディ１１の内部には、図１０に示すように上述の開閉素子ＴＲＣ１，ＴＲＣ２や制御回路部１の構成部品や外部電線を接続するための複数の端子などを実装したプリント配線板からなる回路基板１６が収納されている。ここに回路基板１６に実装される個々の端子は、ボディ１１の後壁に形成された電線挿入孔（図示せず）を通して器体１０内に挿入される外部電線を導電性を有する板ばねからなる鎖錠ばねのばね力によって接続保持する速結端子で構成してある。なお複数の端子としては上述した３つの端子Ｔａ，Ｔｂ，Ｔｃなどがある。
【００４０】
一方、カバー１２には、操作スイッチＳＷ１、タイマ設定部２、負荷選択スイッチ３、および発光ダイオードＬＤなどの回路部品を実装したプリント配線板からなる回路基板１７が収納されており、この回路基板１７に実装された操作スイッチＳＷ１の押釦１９（操作部）と、タイマ設定部２を構成する切替スイッチＳＷ２〜ＳＷ４の摘み２０〜２２とが、それぞれ、カバー１２の前壁に貫設された透孔１８ａ〜１８ｄを通してカバー１２の前面（つまり器体１０の前面）に露出する。すなわち器体１０前面の右側部において、上下方向の略中央に形成された丸孔状の透孔１８ａを通して操作スイッチＳＷ１の押釦１９が露出し、透孔１８ａの上側に形成された丸孔状の透孔１８ｂを通してロータリスイッチよりなる切替スイッチＳＷ２の操作子に被せた摘み２０が露出し、透孔１８ａの下側に形成された角孔状の透孔１８ｃ，１８ｄを通してスライドスイッチよりなる切替スイッチＳＷ３，ＳＷ４の操作子に被せた摘み２１，２２が露出する。またカバー１２前面の左側部には、回路基板１７に実装された発光ダイオードＬＤに対向する部位に透孔２６が貫設されており、発光ダイオードＬＤの光は透孔２６を通して器体１０の外側に照射されるようになっている。なお回路基板１７と上述の回路基板１６とは図示しないリード線を介して電気的に接続されている。ここで、ボディ１１内に収納される回路基板１６には開閉素子ＴＲＣ１，ＴＲＣ２や制御回路部１の構成部品が実装されており、これらの電子部品の動作状態は周囲温度の影響を受けやすく、低容量・低温度の条件下で使用される場合には出力が安定しなくなる虞がある。そこで、本実施形態では開口部が形成されたカバー１２の前面と回路基板１６との間に、断熱性を有する材料によりボディ１１の開口部と略同じ大きさに形成された矩形板状の絶縁板４８を配置するとともに、ボディ１１およびカバー１２から不要な孔を無くしており、電子部品の発熱が外部に逃げるのを防止して、回路動作を安定させている。ここに開口部を少なくしたボディ１１およびカバー１２と絶縁板４８とで、構成部品の発熱が外部に逃げるのを防止する放熱防止手段が構成される。
【００４１】
また器体１０の前面側には、操作スイッチＳＷ１を操作するための操作ハンドル３０が器体１０の前面の略全体を覆う形で回動自在に取着されている。すなわちカバー１２の前面の左側端部には、操作ハンドル３０を枢着するために斜め前方に突出する一対の軸部２７（枢支部）が一体に突設してあり、一対の軸部２７，２７を操作ハンドル３０後面の左端部に設けた軸受部３８，３８に回動自在に嵌め込むことで、操作ハンドル３０が器体１０に対して回動自在に枢着されている。操作ハンドル３０後面の右端部には、器体１０（カバー１２）の前面に設けた一対の係止孔１２ｃにそれぞれ挿入される一対の弾性係止片３９が突設され、各弾性係止片３９の先端の爪３９ａが係止孔１２ｃの孔縁に引掛係止することで操作ハンドル３０の抜けを防止している（図１０参照）。また操作ハンドル３０の裏面には、カバー１２の前面に露出する押釦１９と対向する部位に押突起３０ａが突設されており、操作ハンドル３０の右側部を押操作すると、操作ハンドル３０が軸部２７を支点にして回動し、操作ハンドル３０の押突起３０ａによって押釦１９が押され、操作スイッチＳＷ１がオンになる。一方、操作ハンドル３０を押操作する力を無くすと、操作ハンドル３０は押釦１９などの反力を受けて復帰位置に戻り、押釦１９を押す力がなくなって、操作スイッチＳＷ１はオフになる。
【００４２】
この操作ハンドル３０は合成樹脂により矩形板状に形成されており、左右方向の寸法が化粧プレート６０の開口孔６１の左右方向（短手方向）寸法と略同じ寸法に形成され、上下方向の寸法が開口窓６１の上下方向（長手方向）寸法の略３分の２の寸法に形成されている。操作ハンドル３０前面の左端部には前方へ突出する突台部３５が設けられ、突台部３５以外の部位は突台部３５よりも薄肉の薄肉部３１となっている。そして、操作ハンドル３０の薄肉部３１には、カバー１２の透孔１８ｂに対応する部位とその周辺に、摘み２０や摘み２０の周りに印字された時間を示す文字などを露出させるための矩形の透孔３２（図７の斜線部）が貫設され、さらに透孔１８ｃ，１８ｄに対応する部位に切替スイッチＳＷ３，ＳＷ４の操作子に被せた摘み２１，２２を露出させる透孔３３，３４が貫設されている。また突台部３５の上下方向における略中央部には透光性を有する合成樹脂により形成された導光部材２３の突部２３ａが嵌め込まれる透孔３６が形成されており、器体１０に収納された発光ダイオードＬＤの光は、操作ハンドル３０に保持された導光部材２３を通して操作ハンドル３０の前面側に出射されるようになっている。このように機能設定部を構成する切替スイッチＳＷ２〜ＳＷ４の摘み２０〜２２は操作ハンドル３０の前面側に露出しているので、機能設定の操作（例えば用途切替の操作やタイマ設定の操作）をユーザが容易に行えるようになっている。なお換気扇の種類を選択するための負荷選択スイッチ３は操作ハンドル３０の前面側に露出しないような位置に配置されており、ユーザによって不用意に操作されるのを防止している。
【００４３】
また操作ハンドル３０には、切替スイッチＳＷ２〜ＳＷ４の摘み２０〜２２が露出する薄肉部３１を開閉自在に覆うハンドルカバー４０が取り付けられる。ハンドルカバー４０は、矩形板状であって左右方向及び上下方向の寸法がそれぞれ薄肉部３１の左右方向及び上下方向の寸法と略同じ寸法に形成された主部４１と、主部４１の左側部の上下両端部から側方（左側）に突出する一対の腕部４２，４２とを有し、各腕部４２の先端部には突台部３５の上下両側面に設けた軸穴３７に係合する軸４２ａが突設されている。ここに軸穴３７と軸４２ａとでハンドルカバー４０を回動自在に軸支する軸受部が構成される。而して突台部３５の軸穴３７に腕部４２の軸を係合させることで、ハンドルカバー４０が操作ハンドル３０に対して回動自在に軸支される（図１（ａ）参照）。なお主部４１の前面の右側部には操作位置を示す突起４７が突設され、右側の側面には開閉時に爪で引っ掛けるための引掛爪４６が突設されている。
【００４４】
ここで、図１（ａ）に示すように透孔３２〜３４を露出させる位置までハンドルカバー４０を開いた状態でハンドルカバー４０を開く方向に過大な力が加わった際に、ハンドルカバー４０の腕部４２が化粧プレート６０の開口窓６１の周部（開口窓６１の縁）と当接した部位（図中のＤ部）を支点として操作ハンドル３０を器体１０から離れる方向（図中の上方向）に押圧する力が発生するが、この押圧力よりも器体１０が操作ハンドル３０を保持する保持力を小さく設定しているので、同図（ｂ）に示すように操作ハンドル３０が器体１０から外れることによって、ハンドルカバー４０を操作ハンドル３０に枢支させる部位（腕部４２）に過大な力が加わって破損するのを防止でき、操作ハンドル３０を器体に再度取り付けて使用することができる。なお器体１０が操作ハンドル３０を保持する保持力は、通常の操作では操作ハンドル３０が外れない程度の保持力に設定してある。
【００４５】
そして、ハンドルカバー４０に過大な力が加わって操作ハンドル３０およびハンドルカバー４０からなるハンドルブロックが器体１０から外れた場合、操作ハンドル３０の裏面および器体１０の前面には、操作ハンドル３０の器体１０への取付方法を絵や文字で説明する表示部Ｃ１，Ｃ２が印刷或いはシールなどの方法で形成されているので、取付方法を知らない一般のユーザでも表示部Ｃ１，Ｃ２を見ながら、操作ハンドル３０を器体１０に容易に取り付けることができる。なお本実施形態では表示部Ｃ１，Ｃ２を操作ハンドル３０の裏面および器体１０の前面の両方に設けているが、何れか一方のみでも良い。
【００４６】
また、図１１に示すように主部４１の後面の回動中心側の角と、この角が対向する薄肉部３１の隅とにそれぞれ面取り処理を施してテーパ面４４，３１ｂを形成しているので、ハンドルカバー４０を開閉する際に主部４１の角と薄肉部３１の隅とが互いに干渉するのを防止できる。また図４に示すように、操作ハンドル３０は、軸部２７で枢支された側の側縁（左側縁）を取付枠４０の前面に面接触させているので、この側縁に沿う方向の一端側で操作ハンドル３０（実際には操作ハンドル３０の薄肉部３１に嵌ったハンドルカバー４０の主部４１）を押したとしても、操作ハンドル３０が傾くのを防止できる。また図２に示すように、操作ハンドル３０は軸部２７で枢支された側と反対側の側縁を後側に押圧すると、この側縁が取付枠４０の前面に面接触するので、操作ハンドル３０の押し込み量を規制して、操作スイッチＳＷ１に過大な力が加わるのを防止でき、操作スイッチＳＷ１の破損を防止できる。
【００４７】
またハンドルカバー４０の裏面には四角枠状のリブ４１ａが形成され、このリブ４１ａで囲まれる凹所４３に短冊状の永久磁石２４を収納し、リブ４１ａの上下両側辺に一体的に設けられた棒状のリブ４１ｂを潰して変形させることで、リブ４１ｂと永久磁石２４とを係止させ、永久磁石２４がハンドルカバー４０に保持される（図３および図１１参照）。一方、操作ハンドル３０の薄肉部３１には、永久磁石２４と対向する部位に矩形状に凹んだ収納溝３１ａが形成され、この収納溝３１ａ内に薄肉の矩形板状の鉄片２５（磁性体）を収納してある。そして、薄肉部３１の前面には、透孔３２が開口する部位を除く下半分の部位に切替スイッチＳＷ３，ＳＷ４の操作位置を示す文字などが印字された矩形板状の表示ラベル４５が貼り付けられて、鉄片２５が保持される。なお表示ラベル４５には、薄肉部３１の透孔３３，３４に連通する角孔状の透孔４５ａ，４５ｂが形成されている。ここで、ハンドルカバー４０を閉じると、操作ハンドル３０に保持された鉄片２５が、ハンドルカバー４０に保持された永久磁石２４の磁力で吸着されることによって、ハンドルカバー４０が閉じた状態を保持する。一方、ハンドルカバー４０を開けた状態では、表示ラベル４５によって鉄片２５が隠されているので、外観の見栄えを良くできる。なお樹脂製のリブ４１ｂを潰して変形させることで、リブ４１ｂと永久磁石２４とを係止させて、永久磁石２４をハンドルカバー４０に保持させているので、永久磁石２４を接着固定する場合に比べて、組立の手間を少なくできる。
【００４８】
また本実施形態では表示ラベル４５が薄肉部３１の下半分のみを覆い、薄肉部３１の上半分には薄肉部３１の面積の略半分の透孔３２（貫通孔）が形成されているので、回転摘み２０の略全体を透孔３２から露出させることができ、しかも透孔３２内に手の指を入れやすいので、回転摘み２０を摘んで回転させる操作がやりやすいという利点がある。
【００４９】
なお図８に示すように、導電性を有する金属材料により、薄肉部３１の前面と略同じ大きさに形成された矩形板状の表示ラベル４５’を薄肉部３１に貼り付けるようにしても良く、表示ラベル４５によって電磁シールドの効果が向上するとともに、操作ハンドル３０の機械的強度がアップするという利点がある。ここで、図８中の４５ｃは摘み２０を露出させるための窓孔である。
【００５０】
また図９に示すように薄肉の鉄片からなる表示ラベル４５”を薄肉部３１の下半分に貼り付けるようにしても良く、表示ラベル４５”自体を磁性材料で形成することで、表示ラベル４５”が永久磁石２４の磁力で吸着されて、ハンドルカバー４０が閉じた状態を保持するので、表示ラベル２５”とは別に鉄片２５を操作ハンドル３０に取り付ける必要が無く、部品費や組立費を削減できるという利点がある。
【００５１】
次にこのタイムスイッチＡを用いた換気扇の制御動作について説明を行う。なお以下の説明では図１２（ａ）に示すように強弱タップ切替型の換気扇ＲＬ１を接続し、負荷選択スイッチ３を強弱タップ切替型の負荷側に切り換えた場合の動作について説明を行う。
【００５２】
ここで、上述の切替スイッチＳＷ２〜ＳＷ４により、タイマ動作に関する動作設定を行うタイマ設定手段（機能設定部）が構成されるのであるが、切替スイッチＳＷ３は、負荷の換気扇の使用用途（浴室用途、トイレ用途）に応じて動作モードを切り替えるためのスイッチであり、例えば２ポジションのスライドスイッチからなり、切替スイッチＳＷ３の摘み２１の位置に応じて、動作モードが浴室用途に適した動作モード（入浴中は弱風運転又は一時停止させ、入浴後に一定期間強風運転させた後、弱風運転に戻すモード）、又は、トイレ用途に適した動作モード（トイレの使用中は強風運転させ、使用後の一定期間強風運転を継続した後、弱風運転に戻すモード）の何れかに設定される。また切替スイッチＳＷ２は強風運転を継続する強動作継続時間を切替設定するためのスイッチであり、例えば４ビットのロータリスイッチからなり、強動作継続時間を０〜１２時間の間で１６通りに設定できるようになっている。なお切替スイッチＳＷ２により強動作継続時間を０に設定した場合には強動作タイマによるタイマ制御を無効にするように設定される。また切替スイッチＳＷ４は、入浴中に停止タイマを動作させて、停止タイマの限時動作中は換気扇を停止させる際の停止時間を切替設定するスイッチであり、例えば３ポジションのスライドスイッチからなり、切替スイッチＳＷ４の摘み２２の位置に応じて停止時間が０、３０分、６０分の何れかに切り替えられる。なお切替スイッチＳＷ３により停止時間を０に設定した場合には、停止タイマによるタイマ制御を無効にするように設定される。
【００５３】
先ず切替スイッチＳＷ２の摘み２０を「０」の位置まで回して強タイマ制御を無効にするとともに、切替スイッチＳＷ４の摘み２２を操作して停止タイマ制御を無効にした場合の動作（タイマ制御を行わない基本的な動作）について説明する。
【００５４】
このタイムスイッチＡは常時換気設備である換気扇ＲＬ１の動作を制御するものであり、常時は制御回路部１が開閉素子ＴＲＣ１をターンオン、開閉素子ＴＲＣ２をターンオフさせており、換気扇ＲＬ１の弱入力端子と共通端子との間に交流電源ＡＣを接続して、換気扇ＲＬ１を弱風運転させている。
【００５５】
次に操作ハンドル３０（ハンドルカバー４０）が短時間押操作されると、制御回路部１に操作スイッチＳＷ１の操作入力が所定時間（例えば２〜３秒）よりも短い時間だけ与えられ、制御回路部１ではこの操作入力に応じて換気扇ＲＬ１の風量を強に切り替える制御を行う。すなわち制御回路部１は開閉素子ＴＲＣ１をターンオフ、開閉素子ＴＲＣ２をターンオンさせており、換気扇ＲＬ１の強入力端子と共通端子との間に交流電源ＡＣを接続して、換気扇ＲＬ１を風量が強の状態で動作（強風運転）させる。そして操作ハンドル３０が短時間押操作されて、操作スイッチＳＷ１から時間幅が所定時間よりも短い操作信号が制御回路部１に与えられる度に、制御回路部１は換気扇ＲＬ１の風量を弱又は強に交互に切り替えるような制御を行う。
【００５６】
一方、操作ハンドル３０を所定時間（例えば２〜３秒）以上押し続けた場合、制御回路部１に操作スイッチＳＷ１の操作入力が所定時間（例えば２〜３秒）以上連続して与えられ、制御回路部１では、この操作入力に応じて開閉素子ＴＲＣ１，ＴＲＣ２をターンオフさせて、換気扇ＲＬ１を停止させる。
【００５７】
そして、換気扇ＲＬ１が停止した状態で操作ハンドル３０を短時間押操作すると、制御回路部１に操作スイッチＳＷ１の操作入力が所定時間よりも短い時間だけ与えられ、制御回路部１ではこの操作入力に応じて開閉素子ＴＲＣ１をターンオフ、開閉素子ＴＲＣ２をターンオンさせて、換気扇ＲＬ１の弱入力端子と共通端子との間に交流電源ＡＣを接続し、換気扇ＲＬ１を弱風運転させる。
【００５８】
このように本実施形態では１つの操作ハンドル３０を用いて、操作ハンドル３０を所定時間以上押操作すれば、制御回路部１が換気扇ＲＬ１を停止させ、操作ハンドル３０を所定時間よりも短い時間だけ押操作すれば、制御回路部１が換気扇ＲＬの風量を強又は弱に交互に切り替えるので、１つの操作ハンドル３０で換気扇ＲＬ１のオン／オフと風量切替の操作を行うことができる。また換気扇ＲＬ１を停止させるためには、操作ハンドル３０を一定時間以上押操作しなければならないので、換気扇ＲＬ１が不用意に停止されるのを防止できる。
【００５９】
なお上記の説明では、強弱タップ切替型の換気扇ＲＬ１が接続された場合の動作について説明を行ったが、内蔵リレー切替型の換気扇ＲＬ２を接続した場合の動作も、換気扇ＲＬ２を強又は弱風運転させる際の開閉素子ＴＲＣ１，ＴＲＣ２のオン／オフの組み合わせが異なるだけで、換気扇の動作としては同じなので、その説明は省略する。また以下の動作説明では説明を簡単にするために開閉素子ＴＲＣ１，ＴＲＣ２のオン／オフの説明は省略し、換気扇の動作状態に着目して説明を行う。
【００６０】
次に、このタイムスイッチＡを用いて浴室に設置された換気扇の動作を制御する場合の各種の動作を説明する。浴室用途で使用する場合は切替スイッチＳＷ３の摘み２１を「浴室換気」側にスライドさせており、制御回路部１は、切替スイッチＳＷ３の設定に応じて、常時は換気扇の風量を弱とし、入浴中は風量を弱にするか又は停止させるとともに、入浴後の一定期間は風量を強に切り替えて湿気を排出した後、風量を弱に戻すような制御を行う（浴室モード）。
【００６１】
先ず切替スイッチＳＷ２の摘み２０の矢印を「１時間」の位置に合わせて、強タイマ制御を有効にするとともに強動作継続時間を１時間に設定し、切替スイッチＳＷ４の摘み２２を「なし」の位置にスライドさせて停止タイマ制御を無効にした場合の動作について説明する。この場合は入浴中も換気扇が弱風運転しており、入浴を終えた時点でユーザが操作ハンドル３０を短時間押操作すると、制御回路部１に操作スイッチＳＷ１からの操作信号（トリガ信号）が入力され、このトリガ入力に応じて制御回路部１が換気扇の風量を強に切り替えるとともに、内蔵する強タイマ（強時間限時タイマ）により切替スイッチＳＷ２で設定された強動作継続時間（１時間）の限時動作を開始させ、強タイマの限時動作が終了した時点で風量を弱に切り替える。このように弱風運転中にユーザが操作ハンドル３０を１回操作すると、換気扇ＲＬ１の風量を強に切り替え、その後強動作継続時間が経過した時点で風量を自動的に弱に戻しているので、浴室内の湿気を早期に排出でき、また自動的に弱風運転に戻るので、風量を弱に切り替える操作を忘れて強風運転のままで動作するのを防止できる。ここで、強動作継続時間は比較的長い時間に設定されるので、強動作継続時間が経過するよりも前に換気扇の風量を弱に戻したい場合があり、強タイマの限時動作中にユーザが操作ハンドル３０を短時間押操作すると、制御回路部１は、操作スイッチＳＷ１からの操作信号入力に応じて換気扇の風量を弱に戻しており、短時間で風量を弱に戻すことができるので、使い勝手が向上する。
【００６２】
次に切替スイッチＳＷ２の摘み２０を「１時間」の位置まで回して、強タイマ制御を有効にするとともに強動作継続時間を１時間に設定し、切替スイッチＳＷ４の摘み２２を「３０分」の位置にスライドさせて停止タイマ制御を有効にした場合の動作について説明する。常時は換気扇が弱風運転しており、入浴時にユーザが操作ハンドル３０を短時間押操作すると、制御回路部１は、操作スイッチＳＷ１からの操作信号入力に応じて換気扇を停止させるとともに、内蔵する停止タイマにより所定の停止時間（３０分）の限時動作を開始させる。そして停止タイマは限時動作を終了した時点でトリガ信号を発生しており、このトリガ信号を受けて制御回路部１は換気扇を強風運転させて、入浴後の強制換気を行わせるとともに、内蔵する強タイマにより強動作継続時間（１時間）の限時動作を開始させ、強タイマの限時動作が終了した時点で風量を弱に切り替える。このように停止タイマ制御を有効にすれば、入浴時に操作スイッチＳＷ１を操作してから所定の停止時間が経過するまでの間、換気扇を停止させることができるので、寒冷地など入浴中に換気扇が弱風運転することで、入浴中の人が寒さを感じるのを防止でき、使い勝手が向上する。また操作ハンドル３０を１回操作するだけで、停止タイマによるタイマ制御を行った後に、強タイマによるタイマ制御が行われ、タイマ制御が終了すると自動的に弱風運転の状態に戻るので、使い勝手が向上するとともに、ユーザが操作をし忘れて、換気扇ＲＬが停止したままになったり、強風運転状態のまま動作を続けるのを防止できる。
【００６３】
ここで、停止タイマによる停止時間は一般的な入浴時間よりも十分長い時間（例えば３０分又は６０分）に設定されるので、停止時間が経過するよりも前に風呂から上がった場合など強制換気を早めに行わせたい場合があり、停止タイマの限時動作中にユーザが操作ハンドル３０を短時間押操作すると、操作スイッチＳＷ１から制御回路部１に操作信号（トリガ信号）が入力され、このトリガ入力を受けて制御回路部１は停止タイマによる限時動作を終了させ、即座に換気扇を強風運転させるとともに、強タイマによる限時動作を開始させているので、所定の停止時間よりも短い期間で強タイマ動作に移行させることができ、使い勝手が向上する。
【００６４】
次に、切替スイッチＳＷ２の摘み２０を「切」の位置まで回して強タイマ制御を無効とし、切替スイッチＳＷ４の摘み２２を「３０分」の位置にスライドさせて停止タイマ制御を有効にした場合の動作について説明する。常時は換気扇が弱風運転しており、入浴時にユーザが操作ハンドル３０を短時間押操作すると、制御回路部１は、操作スイッチＳＷ１からの操作信号入力に応じて換気扇を停止させるとともに、内蔵する停止タイマにより所定の停止時間（３０分）の限時動作を開始させる。そして、停止タイマによる限時動作が終了すると、制御回路部１は換気扇を停止状態から弱風運転に切り替えており、操作スイッチＳＷ１が短時間押操作されてから所定の停止時間が経過するまでの間だけ換気扇を停止させることができる。ここで、停止タイマによる限時動作中に入浴を終える場合などにユーザが操作ハンドル３０を短時間押操作すると、制御回路部１は、操作スイッチＳＷ１からの操作信号入力に応じて停止タイマによる限時動作を停止させ、換気扇を弱風運転させており、停止時間よりも短い期間で弱風運転を開始させ、浴室の湿気を早期に排出することができるので、使い勝手が向上する。
【００６５】
上述の説明では浴室に設置された換気扇の動作を制御する場合の動作について説明を行ったが、以下ではこのタイムスイッチＡを用いてトイレに設置された換気扇の動作を制御する場合の動作を説明する。トイレ用途で使用する場合は切替スイッチＳＷ３の摘み２１を「トイレ換気」側にスライドさせており、制御回路部１は、切替スイッチＳＷ３の設定に応じて、常時は換気扇の風量を弱とし、トイレの使用中は風量を強に切り替え、使用終了時から所望の時間だけ遅れて風量を弱に戻すような制御を行うことで、トイレ使用時に発生する悪臭を短時間で排出するようにしている（トイレモード）。
【００６６】
ここで、切替スイッチＳＷ２の摘み２０を「３０分」の位置まで回して、強タイマ制御を有効にするとともに強動作継続時間を３０分に設定した場合の動作について説明する。常時は換気扇が弱風運転しており、トイレ使用時にユーザが操作ハンドル３０を短時間押操作すると、制御回路部１は、操作スイッチＳＷ１からの操作信号入力に応じて換気扇を強風運転させる。その後、強風運転中にユーザが操作ハンドル３０を短時間押操作すると、制御回路部１は、操作スイッチＳＷ１からの操作信号が入力されたタイミングで、内蔵する強タイマにより所定の強動作継続時間（３０分）の限時動作を開始させる。そして、強タイマによる限時動作が終了すると、制御回路部１は換気扇の風量を強から弱に切り替えて、換気扇を弱風運転させる。このようにトイレ用途の場合には使用開始時に操作ハンドル３０を押操作すると、この操作に応じて制御回路部１が換気扇を強風運転させることで、使用中に発生する悪臭を排出することができる。また使用後に再度操作ハンドル３０を押操作すると、再操作時から強動作継続時間が経過するまでの間、換気扇ＲＬ１を強風運転させる期間を延長し、強動作継続時間の経過後に風量を自動的に弱に戻しているので、使用中に発生した悪臭を早期に排出することができ、また手動で風量を強から弱に戻す場合のように操作忘れが発生することがなく、使い勝手が向上する。またトイレを使用する時間はその都度ばらばらなので、使用後に操作ハンドル３０を操作した時点から強タイマによる限時動作を開始させることで、使用中に発生する悪臭を確実に排出することができる。
【００６７】
ところで、本実施形態では換気扇の動作表示のための２色発光（例えば赤色と橙（黄）色）の発光ダイオードＬＤを備え、制御回路部１が換気扇の動作状態に応じて発光ダイオードＬＤの点灯状態を制御しており、弱風運転中は発光ダイオードＬＤを橙（黄）色で連続点灯させ、強風運転中は発光ダイオードＬＤを赤色で連続点灯させ、さらに換気扇の停止中は発光ダイオードＬＤを消灯させているので、発光ダイオードＬＤの発光色とその点灯状態とで換気扇の運転状態（強風運転、弱風運転、停止）を容易に判別できる。また制御回路部１が強タイマ制御を行って換気扇を強風運転させている間は、発光ダイオードＬＤを赤色で点滅（例えば１秒点灯、１秒消灯の点滅周期）させ、停止タイマ制御を行って換気扇を停止させている間は、発光ダイオードＬＤを橙（黄）色で点滅（例えば０．５秒点灯、１．５秒消灯の点滅周期）させているので、発光ダイオードＬＤの発光色と点滅状態とでタイマ制御が行われていることを容易に判別できる。
【００６８】
なお本実施形態では機能設定部としてタイマ動作に関わる設定を行うタイマ設定手段を備えてタイマ制御を可能とするタイムスイッチＡを例に説明を行ったが、器体の前面に操作スイッチの操作部と機能設定部を有するとともに、器体の前面に操作部を押操作するための操作ハンドルを回動自在に枢支し、さらに操作ハンドルの透孔から露出する機能設定部を開閉自在に覆うハンドルカバーを備えたようなスイッチであれば、どのようなスイッチにも本発明を適用できることは言うまでもない。
【図面の簡単な説明】
【００６９】
【図１】本実施形態のタイムスイッチを取付枠に取り付けた状態を示し、（ａ）はハンドルカバーを開いた状態を下側から見た断面図、（ｂ）はハンドルカバーを閉じた状態を下側から見た断面図である。
【図２】同上を取付枠に取り付けた状態を示し、操作ハンドルが押操作された状態を下側から見た断面図である。
【図３】同上を示しハンドルカバーを開いた状態の一部破断せる正面図である。
【図４】同上の施工状態を示す側面図である。
【図５】同上の施工状態を示し、（ａ）はハンドルカバーを閉じた状態の正面図、（ｂ）はハンドルカバーを外した状態の正面図である。
【図６】同上を示し、（ａ）は操作ハンドルの裏面図、（ｂ）は器体の正面図である。
【図７】同上のハンドルブロックを示し、ハンドルカバーを開いた状態の一部破断せる正面図である。
【図８】同上の別のハンドルブロックを示し、ハンドルカバーを開いた状態の正面図である。
【図９】同上のまた別のハンドルブロックを示し、ハンドルカバーを開いた状態の正面図である。
【図１０】同上の下側から見た断面図である。
【図１１】同上のハンドルブロックを下側から見た一部省略せる断面図である。
【図１２】（ａ）（ｂ）は同上のブロック図である。
【符号の説明】
【００７０】
１０  器体
２７  軸部
３０  操作ハンドル
４０  ハンドルカバー
６０  化粧プレート
６１  開口窓
【図１】
2006019096.tif 000003
【図２】
2006019096.tif 000004
【図３】
2006019096.tif 000005
【図４】
2006019096.tif 000006
【図５】
2006019096.tif 000007
【図６】
2006019096.tif 000008
【図７】
2006019096.tif 000009
【図８】
2006019096.tif 000010
【図９】
2006019096.tif 000011
【図１０】
2006019096.tif 000012
【図１１】
2006019096.tif 000013
【図１２】
2006019096.tif 000014